【手続補正書】
【提出日】平成19年6月11日(2007.6.11)
【手続補正１】
【補正対象書類名】特許請求の範囲
【補正対象項目名】全文
【補正方法】変更
【補正の内容】
【特許請求の範囲】
【請求項１】
ＩＣタグと通信を行う複数の通信方式を備えた通信装置であって、
前記複数の通信方式を切り替えて前記ＩＣタグと通信を行うことを特徴とする通信装置。
【請求項２】
ＩＣタグと通信を行う複数の通信方式を備えた通信装置であって、
前記複数の通信方式のうちの１の通信方式で通信を行ったあとに他の通信方式で通信を行うことを特徴とする通信装置。
【請求項３】
ＩＣタグと通信を行う複数の通信方式を備えた通信装置であって、
前記複数の通信方式のうちの１の通信方式で通信が行えなかった場合には他の通信方式で通信を行うことを特徴とする通信装置。
【請求項４】
ＩＣタグと通信を行う複数の通信方式を備えた通信装置であって、
前記複数の通信方式のすべての信号方式を使用して通信を行うことを特徴とする通信装置。
【請求項５】
前記複数の通信方式のうちの１の通信方式について複数回の通信を行うことを特徴とする請求項１乃至４のいずれかに記載の通信装置。
【請求項６】
前記複数の通信方式は、通信プロトコルの違いによる方式であることを特徴とする請求項１乃至５のいずれかに記載の通信装置。
【請求項７】
前記複数の通信方式は、信号周波数の違いによる方式であることを特徴とする請求項１乃至５のいずれかに記載の通信装置。
【請求項８】
前記複数の通信方式は、符号化方式の違いによることを特徴とする請求項１乃至５のいずれかに記載の通信装置。
【請求項９】
請求項１乃至８のいずれかに記載の通信装置の構成を備えたことを特徴とするＩＣタグリーダ装置。
【請求項１０】
ＩＣタグと通信を行う複数の通信方式を用いた通信方法であって、
前記複数の通信方式を切り替えて前記ＩＣタグと通信を行うことを特徴とする通信方法。
【請求項１１】
ＩＣタグと通信を行う複数の通信方式を用いた通信方法であって、
前記複数の通信方式のうちの１の通信方式で通信を行ったあとに他の通信方式で通信を行うことを特徴とする通信方法。
【請求項１２】
ＩＣタグと通信を行う複数の通信方式を用いた通信方法であって、
前記複数の通信方式のうちの１の通信方式で通信が行えなかった場合には他の通信方式で通信を行うことを特徴とする通信方法。
【請求項１３】
ＩＣタグと通信を行う複数の通信方式を備えた通信方法であって、
前記複数の通信方式のすべての信号方式を使用して通信を行うことを特徴とする通信方法。
【請求項１４】
前記複数の通信方式のうちの１の通信方式について複数回の通信を行うことを特徴とする請求項１０乃至１３のいずれかに記載の通信方法。
【請求項１５】
前記複数の通信方式は、通信プロトコルの違いによる方式であることを特徴とする請求項１０乃至１４のいずれかに記載の通信方法。
【請求項１６】
前記複数の通信方式は、信号周波数の違いによる方式であることを特徴とする請求項１０乃至１４のいずれかに記載の通信方法。
【請求項１７】
前記複数の通信方式は、符号化方式の違いによることを特徴とする請求項１０乃至１４のいずれかに記載の通信方法。
【手続補正２】
【補正対象書類名】明細書
【補正対象項目名】発明の名称
【補正方法】変更
【補正の内容】
【発明の名称】通信装置、ＩＣタグリーダ装置及び通信方法
【手続補正３】
【補正対象書類名】明細書
【補正対象項目名】０００１
【補正方法】変更
【補正の内容】
【０００１】
本発明は、通信装置、ＩＣタグリーダ装置及び通信方法に関する。
【手続補正４】
【補正対象書類名】明細書
【補正対象項目名】０００５
【補正方法】変更
【補正の内容】
【０００５】
本発明は、上記事情に鑑みてなされたものであり、精算専用の装置を不要にし、前述した課題を解決するために、ＩＣタグやＩＣタグリーダ装置の使い勝手や利便性の向上を実現する通信装置、ＩＣタグリーダ装置及び通信方法を提供することを目的とする。
【手続補正５】
【補正対象書類名】明細書
【補正対象項目名】０００６
【補正方法】変更
【補正の内容】
【０００６】
かかる目的を達成するために、本発明の第１の通信装置は、ＩＣタグと通信を行う複数の通信方式を備えた通信装置であって、複数の通信方式を切り替えてＩＣタグと通信を行うことを特徴とする。
【手続補正６】
【補正対象書類名】明細書
【補正対象項目名】０００７
【補正方法】変更
【補正の内容】
【０００７】
本発明の第２の通信装置は、ＩＣタグと通信を行う複数の通信方式を備えた通信装置であって、複数の通信方式のうちの１の通信方式で通信を行ったあとに他の通信方式で通信を行うことを特徴とする。
【手続補正７】
【補正対象書類名】明細書
【補正対象項目名】０００８
【補正方法】変更
【補正の内容】
【０００８】
本発明の第３の通信装置は、ＩＣタグと通信を行う複数の通信方式を備えた通信装置であって、複数の通信方式のうちの１の通信方式で通信が行えなかった場合には他の通信方式で通信を行うことを特徴とする。
【手続補正８】
【補正対象書類名】明細書
【補正対象項目名】０００９
【補正方法】変更
【補正の内容】
【０００９】
本発明の第４の通信装置は、ＩＣタグと通信を行う複数の通信方式を備えた通信装置であって、複数の通信方式のすべての信号方式を使用して通信を行うことを特徴とする。
【手続補正９】
【補正対象書類名】明細書
【補正対象項目名】００１０
【補正方法】変更
【補正の内容】
【００１０】
本発明の第５の通信装置は、本発明の第１乃至第４のいずれかの通信装置において、複数の通信方式のうちの１の通信方式について複数回の通信を行うことを特徴とする。
【手続補正１０】
【補正対象書類名】明細書
【補正対象項目名】００１１
【補正方法】変更
【補正の内容】
【００１１】
本発明の第６の通信装置は、本発明の第１乃至第５のいずれかの通信装置において、複数の通信方式は、通信プロトコルの違いによる方式であることを特徴とする。
【手続補正１１】
【補正対象書類名】明細書
【補正対象項目名】００１２
【補正方法】変更
【補正の内容】
【００１２】
本発明の第７の通信装置は、本発明の第１乃至第５のいずれかの通信装置において、複数の通信方式は、信号周波数の違いによる方式であることを特徴とする。
【手続補正１２】
【補正対象書類名】明細書
【補正対象項目名】００１３
【補正方法】変更
【補正の内容】
【００１３】
本発明の第８の通信装置は、本発明の第１乃至第５のいずれかの通信装置において、複数の通信方式は、符号化方式の違いによることを特徴とする。
【手続補正１３】
【補正対象書類名】明細書
【補正対象項目名】００１４
【補正方法】変更
【補正の内容】
【００１４】
本発明のＩＣタグリーダ装置は、本発明の第１乃至第８のいずれかの通信装置の構成を備えたことを特徴とする。
【手続補正１４】
【補正対象書類名】明細書
【補正対象項目名】００１５
【補正方法】変更
【補正の内容】
【００１５】
本発明の第１の通信方法は、ＩＣタグと通信を行う複数の通信方式を用いた通信方法であって、複数の通信方式を切り替えてＩＣタグと通信を行うことを特徴とする。
【手続補正１５】
【補正対象書類名】明細書
【補正対象項目名】００１６
【補正方法】変更
【補正の内容】
【００１６】
本発明の第２の通信方法は、ＩＣタグと通信を行う複数の通信方式を用いた通信方法であって、複数の通信方式のうちの１の通信方式で通信を行ったあとに他の通信方式で通信を行うことを特徴とする。
【手続補正１６】
【補正対象書類名】明細書
【補正対象項目名】００１７
【補正方法】変更
【補正の内容】
【００１７】
本発明の第３の通信方法は、ＩＣタグと通信を行う複数の通信方式を用いた通信方法であって、複数の通信方式のうちの１の通信方式で通信が行えなかった場合には他の通信方式で通信を行うことを特徴とする。
【手続補正１７】
【補正対象書類名】明細書
【補正対象項目名】００１８
【補正方法】変更
【補正の内容】
【００１８】
本発明の第４の通信方法は、ＩＣタグと通信を行う複数の通信方式を備えた通信方法であって、複数の通信方式のすべての信号方式を使用して通信を行うことを特徴とする。
【手続補正１８】
【補正対象書類名】明細書
【補正対象項目名】００１９
【補正方法】変更
【補正の内容】
【００１９】
本発明の第５の通信方法は、本発明の第１乃至第４のいずれかの通信方法において、複数の通信方式のうちの１の通信方式について複数回の通信を行うことを特徴とする。
【手続補正１９】
【補正対象書類名】明細書
【補正対象項目名】００２０
【補正方法】変更
【補正の内容】
【００２０】
本発明の第６の通信方法は、本発明の第１乃至第５のいずれかの通信方法において、複数の通信方式は、通信プロトコルの違いによる方式であることを特徴とする。
【手続補正２０】
【補正対象書類名】明細書
【補正対象項目名】００２１
【補正方法】変更
【補正の内容】
【００２１】
本発明の第７の通信方法は、本発明の第１乃至第５のいずれかの通信方法において、複数の通信方式は、信号周波数の違いによる方式であることを特徴とする。
【手続補正２１】
【補正対象書類名】明細書
【補正対象項目名】００２２
【補正方法】変更
【補正の内容】
【００２２】
本発明の第８の通信方法は、本発明の第１乃至第５のいずれかの通信方法において、複数の通信方式は、符号化方式の違いによることを特徴とする。
【手続補正２２】
【補正対象書類名】明細書
【補正対象項目名】００２３
【補正方法】削除
【補正の内容】